(57)【要約】【課題】本発明は、撮影前の記録先が撮影後に変更される可能性がある場合に、変更される記録先の情報を考慮した記録先の表示を行うことができる撮像装置を提供する。【解決手段】撮影前に記録先を表示し、かつ、撮影後に記録先が変更される可能性のあるデジタルカメラにおいて、変更される記録先の情報を考慮した表示を行うことで、撮影前の記録先の表示と撮影後の記録先の矛盾を軽減することができる。【選択図】図４
2015056683.tif 000002
【特許請求の範囲】
【請求項１】
被写体像を撮影する撮像手段と、
前記撮像手段により得られた画像データから記録媒体に記録するための画像ファイルを生成する現像処理手段と、
前記現像処理手段により生成された画像ファイルを複数の記録媒体に記録する記録手段と、
前記記録手段により前記画像ファイルが第１の記録媒体に記録できない場合に第２の記録媒体に記録する制御を行う記録制御手段と、
前記第１の記録媒体へ記録する場所と前記第２の記録媒体へ記録する場所を表示する表示制御手段とを備えることを特徴とする撮像装置。
【請求項２】
前記第１の記録媒体は、前記撮像手段による撮影後に最初に画像ファイルの書き込みを行う記録先であり、
前記第２の記録媒体は、前記画像ファイルを前記第１の記録媒体に書き込む際に、前記第１の記録媒体の残容量が前記画像ファイルのサイズよりも小さい場合に、当該画像ファイルのサイズよりも残容量のある記録先であることを特徴とする請求項１記載の撮像装置。
【請求項３】
前記表示制御手段は、前記第１の記録媒体へ記録する場所と前記第２の記録媒体へ記録する場所の異なる部分のみを表示することを特徴とする請求項１または２記載の撮像装置。
【請求項４】
前記現像処理手段により処理されていない画像データをカウントするカウント手段を更に備え、
前記表示制御手段は、前記カウント手段によるカウント結果に応じて、前記第１の記録媒体へ記録する場所と前記第２の記録媒体へ記録する場所を表示することを特徴とする請求項１乃至３のいずれか１項に記載の撮像装置。
【請求項５】
前記現像処理手段により処理された後の画像ファイルのサイズを予測する予測手段と、
前記予測手段により予測された画像ファイルのサイズと前記第１の記録媒体の残容量とを比較する比較手段とをさらに備え、
前記表示制御手段は、前記比較手段による比較結果に応じて、前記第２の記録媒体へ記録する場所を表示しないことを特徴とする請求項１乃至４のいずれか１項に記載の撮像装置。
【請求項６】
前記表示制御手段は、前記第１及び第２の記録媒体へ記録する場所として、記録媒体名、フォルダ番号、ファイル番号を表示することを特徴とする請求項１乃至５のいずれか１項に記載の撮像装置。
【請求項７】
被写体像を撮影する撮像手段と、前記撮像手段により得られた画像データから記録媒体に記録するための画像ファイルを生成する現像処理手段と、前記現像処理手段により生成された画像ファイルを複数の記録媒体に記録する記録手段と、前記記録手段により前記画像ファイルが第１の記録媒体に記録できない場合に第２の記録媒体に記録する制御を行う記録制御手段とを備える撮像装置の画像ファイルの表示方法であって、
前記第１の記録媒体へ記録する場所と前記第２の記録媒体へ記録する場所を表示する表示制御工程を備えることを特徴とする画像ファイルの表示方法。
【発明の詳細な説明】
【技術分野】
【０００１】
本発明は、複数の記録媒体と撮影した画像ファイルの記録場所を撮影前に表示する表示機能を備えた撮像装置及び画像ファイルの表示方法に関する。
【背景技術】
【０００２】
近年、デジタルカメラのように、撮影した画像データを電子的に処理し、メモリカードなどの記録媒体に画像ファイルとして記録する撮像装置が普及している。デジタルカメラは、銀塩カメラで行っていた現像処理をカメラ内で行うことが可能である。また、デジタルカメラには、複数のメモリカードを装着可能なものもあり、ユーザにより選択された任意のメモリカードに画像ファイルを記録することができるものもある。例えば、特許文献１では、記録媒体に画像データを記録する際に、画像ファイルのサイズに対して記録媒体の残容量が足りない場合に、残容量が足りる他の記録媒体へ記録するデジタルカメラが提案されている。
【０００３】
一方、撮影した画像ファイルの記録する場所（以下、「記録先」とする）を撮影前に表示することでユーザの利便性を向上しているデジタルカメラがある。例えば、記録先の記録媒体や、ＤＣＦ規格のフォルダ番号とファイル番号を表示するデジタルカメラがある。
【先行技術文献】
【特許文献】
【０００４】
【特許文献１】特開平３−１１８８７号公報
【発明の概要】
【発明が解決しようとする課題】
【０００５】
しかしながら、撮影前に画像ファイルの記録先を表示するデジタルカメラでは、記録先を撮影後に変更されてしまうと撮影前に表示された記録先と実際の記録先とが異なり、ユーザの利便性を損ねてしまう。
【０００６】
本発明は、上記問題に鑑みて成されたものであり、撮影前の記録先が撮影後に変更される可能性がある場合に、変更される記録先の情報を考慮した記録先の表示を行うことができる撮像装置及び画像ファイルの表示方法を提供することを目的とする。
【課題を解決するための手段】
【０００７】
上記目的を達成するために、本発明は、被写体像を撮影する撮像手段と、前記撮像手段により得られた画像データから記録媒体に記録するための画像ファイルを生成する現像処理手段と、前記現像処理手段により生成された画像ファイルを複数の記録媒体に記録する記録手段と、前記記録手段により前記画像ファイルが第１の記録媒体に記録できない場合に第２の記録媒体に記録する制御を行う記録制御手段と、前記第１の記録媒体へ記録する場所と前記第２の記録媒体へ記録する場所を表示する表示制御手段とを備えることを特徴とする。
【発明の効果】
【０００８】
本発明は、撮影前の記録先を表示するカメラであって、撮影前の記録先が撮影後に変更される可能性がある場合に、変更される記録先の情報を考慮した表示を行う。これにより、撮影前の記録先の表示と撮影後の記録先の矛盾を軽減し、ユーザの利便性を向上することができる。
【図面の簡単な説明】
【０００９】
【図１】本発明の第１の実施形態に係る撮像装置の概略構成を示すブロック図である。
【図２】図１の撮像装置に記録される画像ファイルのファイル構成例を示す図である。
【図３】図１の撮像装置における撮影記録動作の流れを示すフローチャートである。
【図４】（ａ）〜（ｃ）は、第１の実施形態における画像ファイルの記録先表示の一例を示す図である。
【図５】第１の実施形態における画像ファイルの記録先表示の他の一例を示す図である。
【図６】本発明の第２の実施形態における画像ファイルの記録先表示の一例を示す図である。
【図７】本発明の第３の実施形態における画像ファイルの記録先表示動作の流れを示すフローチャートである。
【発明を実施するための形態】
【００１０】
以下、本発明の実施の形態を図面を参照して詳細に説明する。
【００１１】
［第１の実施形態］
図１は、本発明の第１の実施形態に係る撮像装置の概略構成を示すブロック図である。
【００１２】
図１において、１００は被写体を撮像するデジタルカメラである。１１０は電源であり、デジタルカメラ１００内の各回路に電源を供給する。１２０はカードスロットＡ、１２２はカードスロットＢであり、着脱可能な記録媒体であるメモリカード１２１を差し込むことが可能な構造を有する。メモリカード１２１をカードスロットＡ１２０又はカードスロットＢ１２２に差し込んだ状態で、メモリカード１２１はカード入出力部１１９と電気的に接続する。なお、本実施形態では、記録媒体としてメモリカード１２１を採用しているが、その他の記録媒体、例えば、ハードディスク、光ディスク、光磁気ディスク、磁気ディスク、その他の固体メモリを使用してもよい。
【００１３】
１０１は光軸方向の進退により焦点調節を行うフォーカシングレンズであり、１０２は同じく光軸方向の進退により変倍を行うズーミングレンズである。１０３は撮像素子１０４への光量を調節する絞りである。フォーカシングレンズ１０１、ズーミングレンズ１０２、及び絞り１０３は、撮像光学系を構成する。
【００１４】
撮像素子１０４は、ＣＣＤ撮像素子又はＣＭＯＳ撮像素子等で構成される光電変換手段である。撮像素子１０４は、撮像光学系で形成された被写体像を光電変換し、画像信号を出力する。前処理回路１０５は、ＣＤＳ（相関二重サンプリング）回路及びＡＧＣ（オートゲインコントロール）回路等を含み、撮像素子１０４から出力された画像信号のノイズを除去し、ゲインを制御する。
【００１５】
Ａ／Ｄコンバータ１０６は、前処理回路１０５から出力されるアナログ画像信号をデジタル画像信号に変換する。像信号処理装置１０７は、デジタル画像信号に対して、シェーディング補正等の周知の画像信号処理を施す。像信号処理装置１０７は、いわゆる撮像素子１０４の特性に起因する画像濃度の非線形性及び光源に起因する画像色の偏りを補正する。
【００１６】
フレームメモリ１０８は、上述した撮像素子１０４〜像信号処理装置１０７により生成される画像信号を一時記憶するバッファメモリとして機能する。フレームメモリ１０８に格納されている画像データは、上記の補正処理等が施されているが、撮像素子１０４の各画素に蓄積された電化エネルギーをそのままデジタルデータ化したものと考えることができる。以後、フレームメモリ１０８に格納された画像データをＲＡＷデータと呼ぶ。
【００１７】
以上説明した撮像素子１０４〜フレームメモリ１０８からなる部分は、撮像光学系で形成された被写体の光学像をデジタル画像信号又は画像データに変換する光電変換系である。
【００１８】
全体を制御するＣＰＵ１０９には、電源１１０、不揮発性メモリ１１１、現像処理部１１２、ＲＡＭ１１３、表示制御装置１１４、メインスイッチ１１６が接続される。さらに、第１レリーズスイッチ１１７、第２レリーズスイッチ１１８、操作ボタン（１２４〜１２６）、カード入出力部１１９、ＵＳＢ制御装置１２７、及びＬＡＮ制御装置１２９が接続される。
【００１９】
ＣＰＵ１０９は、撮像素子１０４の画像信号読み出しを制御するクロック信号を送出し、撮像素子１０４〜フレームメモリ１０８の動作タイミングを制御する。
【００２０】
不揮発性メモリ１１１は、ＥＥＰＲＯＭ等で構成されており、電源１１０がオフにされても、記録されたデータを失わない。不揮発性メモリ１１１には、電源１１０がオンされたときにカメラに設定する初期設定値が記録されている。
【００２１】
現像処理部１１２は、ＣＰＵ１０９が読み出したフレームメモリ１０８上のＲＡＷデータを現像パラメータ設定に基づいて画像処理を行う。画像処理を施されたそれぞれの画像データは、ＲＡＭ１１３に格納される。現像パラメータとは、デジタル画像データの画質に関するパラメータのことで、デジタル画像データのホワイトバランス、色補間、色補正、γ変換、エッジ強調、解像度、記録方式、圧縮率に関するパラメータはすべて現像パラメータに相当する。
【００２２】
記録方式については、ＪＰＥＧ（Joint Photograpic Experts Group）形式とＲＡＷ形式を選択することができる。ＪＰＥＧ形式では、ＲＡＷデータに対して適応離散コサイン変換（ＡＤＣＴ）による不可逆圧縮処理が行われ、ファイルサイズ容量を小さくする。圧縮率を大きくするとファイルサイズ容量を小さくできるが、画質が劣化する。ＲＡＷ形式では、ＲＡＷデータに対してロスレス圧縮（可逆圧縮）が行われ、ファイルサイズ容量を小さくする。ＲＡＷ形式は可逆圧縮であるので、画像情報を欠落することなくファイルサイズ容量を小さくできるが、ＪＰＥＧ形式ほど小さいサイズにはできない。以後、１つ以上の現像パラメータを用いてデジタル画像データの画質を調整（変更）する処理のことを現像処理と呼ぶ。
【００２３】
ＲＡＭ１１３は、現像処理結果の画像データの他、ＣＰＵ１０９が各種処理を行う際にデータを一時的に記憶する。表示制御装置１１４は、液晶表示素子からなるＴＦＴ１１５の駆動及び制御と、ＶＩＤＥＯ出力端子１３２でのＶＩＤＥＯのコネクタの挿抜検知とＶＩＤＥＯ信号駆動及び制御を行う。さらに、表示制御装置１１４は、Ｄ端子１３３でのＤ端子のコネクタの挿抜検知とＤ端子信号駆動及び制御と、ＨＤＭＩ(登録商標)端子１３４でのＨＤＭＩ(登録商標)端子のコネクタの挿抜検知とＨＤＭＩ(登録商標)端子信号駆動及び制御を行う。
【００２４】
ＵＳＢ制御装置１２７は、ＵＳＢ端子１２８でのＵＳＢコネクタの挿抜検知とＵＳＢ接続の通信の信号駆動及び制御を行う。ＬＡＮ制御装置１２９は、有線ＬＡＮ端子１３０の挿抜検知と有線ＬＡＮ接続の通信の信号駆動及び制御と、無線ＬＡＮ１３１の無線ＬＡＮ通信の信号駆動及び制御を行う。
【００２５】
デジタルカメラ１００は、複数の記録媒体を装着可能な構造を有する。カード入出力部１１９は、カードスロットＡ１２０又はカードスロットＢ１２２へ挿入されたメモリカード１２１にコマンドを送信でき、メモリカード１２１との間で種々のデータを送受信できる。メモリカード１２１は、圧縮画像信号を記録する機能を具備し、フラッシュメモリ等の半導体メモリ、磁気ディスク又は光ディスク等からなる。なお、カードスロットＡ及びＢに挿入されるメモリカード１２１の種類は、同一であっても異なる種類であってもよい。
【００２６】
ＣＰＵ１０９は、ＲＡＭ１１３上の画像処理が施された画像データを、ＪＥＩＤＡのＤＣＦ（Design rule for Camera File system）規格及びＥｘｉｆ（Exchangeable Image File Format）規格のファイルフォーマットに準じた画像ファイルを生成する。Ｅｘｉｆ規格のファイルは、デジタルカメラで画像撮影時のカメラ情報をタグ形式で画像データと同一ファイルに記録することができる。Ｅｘｉｆのカメラ情報には、撮影時の明るさに関するカメラ情報として例えば、絞り値（ApertureValue）タグ、シャッタースピード（ShutterSpeedValue）タグ、輝度値（BrightnessValue）タグ、がある。また、絞り値（以下「Ａｖ」とする）、シャッタースピード（以下「Ｔｖ」とする）、輝度値（以下「Ｂｖ」とする）をＡＰＥＸ（Additive  System  of  Photographic  Exposure）単位の値で記載している。他にも、メーカーノート（MakereNote）タグがあり、各デジタルカメラメーカーが独自の画像情報を追加することができる。
【００２７】
ＣＰＵ１０９は、ＲＡＭ１１３上の画像ファイルをＤＣＦ規格に準じた記録先のファイルパスとファイル名を決定し、カード入出力部１１９を制御して、カードスロットＡ１２０又はカードスロットＢ１２２へ挿入されたメモリカード１２１に記録する。
【００２８】
ＤＣＦ規格では、記録媒体内のルート（ＲＯＯＴ）に「ＤＣＩＭ」フォルダがある。「ＤＣＩＭ」フォルダの下層には、「３桁の数字（以後、フォルダ番号と呼ぶ）＋５つの文字」で名前付けされるフォルダが生成される。すなわち、「ＤＣＩＭ」フォルダの下層には、１００〜９９９の９００フォルダが生成可能に構成されている。図２に示す例では、「100XXXXX」、「102XXXXX」、「345XXXXX」、「346XXXXX」、「451XXXXX」の５つのフォルダが生成されている。
【００２９】
そして、「フォルダ番号＋５つの文字」のフォルダ内に「４つの文字（以後、ファイル番号と呼ぶ）＋４桁の数字」で名前付けされる画像ファイルが格納される。すなわち、各フォルダには、０００１〜９９９９の９９９９ファイルが格納可能に構成されている。
【００３０】
ユーザがメインスイッチ１１６をオン（ＯＮ）にすると、ＣＰＵ１０９は所定のプログラムを実行する。第１レリーズスイッチ１１７は、レリーズボタンの第１ストローク（半押し状態）でオンになり、第２レリーズスイッチ１１８は、レリーズボタンの第２ストローク（全押し状態）でオンとなる。また、ＣＰＵ１０９は、左選択ボタン１２４、右選択ボタン１２５、及び設定ボタン１２６の押下とデジタルカメラの動作状態に応じて制御を行う。例えば、デジタルカメラの動作状態が再生状態であれば、左選択ボタン１２４の押下で前の画像データを表示するように制御し、右選択ボタン１２５の押下で次の画像データを表示するように制御する。
【００３１】
画像データの表示先は、ＴＦＴ１１５及び現在接続されている表示デバイスのうちの現状選択されている表示デバイス上にグラフィカルユーザインタフェース（ＧＵＩ）で表示される。そして、操作部材（左選択ボタン１２４、右選択ボタン１２５、及び設定ボタン１２６）を使って選択することで表示切り替えを行うことができる。
【００３２】
現像パラメータは、メニュー操作によりＧＵＩで確認と設定を行うことができる。また、ＵＳＢ接続が確立していれば、メニュー操作によりＵＳＢによる通信で画像データをパーソナルコンピュータ（ＰＣ）等の外部のデバイスに送ることができる。なお、有線ＬＡＮ、無線ＬＡＮについても同様である。
【００３３】
図３は、図１の撮像装置における撮影記録動作の流れを示すフローチャートである。
【００３４】
ステップＳ１００でデジタルカメラ１００が撮影記録動作を開始すると、ステップＳ１０１に進み、後述の記録先表示動作を行う。次に、ステップＳ１０２では、ユーザにより第２レリーズスイッチがオンされると、ステップＳ１０３へ進む。ステップＳ１０３では、ＣＰＵ１０９が前述の撮像光学系と光電変換系を制御して、撮像された画像ファイルをフレームメモリ１０８にＲＡＷデータとして格納する。
【００３５】
次に、ステップＳ１０４では、ＣＰＵ１０９がＲＡＷデータに対して前述の現像処理を行い、現像処理された画像ファイルをＲＡＭ１１３に格納する。次に、ステップＳ１０５では、後述の記録動作を行って画像ファイルを記録媒体へ記録し、撮影記録動作を終了（ステップＳ１０６）させる。
【００３６】
まず、図３のステップＳ１０５における記録動作について説明する。
【００３７】
ＣＰＵ１０９は、記録先を決定する要素として、記録媒体名（本実施形態では２つの記録媒体があり、１つをＡ、もう一方をＢとする）、フォルダ番号、ファイル番号をＲＡＭ１１３に保持している（記録制御手段）。本実施形態では、これら記録媒体名、フォルダ番号、及びファイル番号を「記録媒体へ記録する場所」と定義する。なお、本実施形態では、記録先として記録媒体を対象としているが、ＵＳＢ端子１２８、有線ＬＡＮ端子１３０、無線ＬＡＮ１３１などに接続され、これらを介して画像を転送できるものであれば内蔵された記録媒体である必要はない。
【００３８】
本実施形態では、撮影後に最初に画像ファイルの書き込みを行う記録先をカレント記録先（第１の記録媒体）と呼ぶ。また、カレント記録先のそれぞれの要素を、カレント記録媒体名、カレントフォルダ番号、カレントファイル番号と呼ぶこととする。
【００３９】
また、本実施形態では、ＣＰＵ１０９は、画像ファイルをカレント記録先に書き込む際に、カレント記録先の残容量が画像ファイルサイズより小さい場合、画像ファイルサイズより残容量のある切替記録先（第２の記録媒体）にフォルダを生成する。そして、生成されたフォルダに画像ファイルを書き込む。
【００４０】
また、切替記録先のそれぞれの要素を、切替記録媒体名、切替フォルダ番号、切替ファイル番号と呼ぶこととする。切替フォルダ番号は、ＤＣＦ規格に準じていればよいが、ここでは例としてカレントフォルダ番号と同じフォルダ番号とする。ただし、切替記録媒体で既に利用されている最大フォルダ番号が、カレントフォルダ番号よりも大きい場合は、最大フォルダ番号に１加算した番号を切替フォルダ番号とする。また、切替ファイル番号については、２つのファイル番号モード（通し番号モードとリセットモード）が事前にＧＵＩで設定できる。通し番号モードでは、カレントファイル番号と同じファイル番号を切替ファイル番号とする。リセットモードでは、０００１を切替ファイル番号とする。
【００４１】
次に、図３のステップＳ１０１における記録先表示について説明する。
【００４２】
本実施形態では、カレント記録先の各要素の表示と共に、切替記録先の各要素の表示を行う。表示方法の具体例を示すために、カレント記録媒体のファイル構成とファイル番号モードの組み合わせによる切替記録先の例を以下に４つ示す。なお、本実施形態では、ＴＦＴ１１５に表示する構成について説明するが、デジタルカメラ１００に接続された外部の表示装置に表示する構成であってもよい。
【００４３】
（例１）は、カレント記録媒体名が「Ａ」、カレントフォルダが「500XXXXX」、カレントファイル番号が「XXXX1000」、モードが通し番号モード、切替記録媒体のフォルダ構成が図２の場合である。一方、切替記録媒体名は「Ｂ」、切替フォルダは「500XXXXX」、切替ファイルは「XXXX1000」となる。
【００４４】
（例２）は、カレント記録媒体名が「Ａ」、カレントフォルダが「400XXXXX」、カレントファイル番号が「XXXX1000」、モードが通し番号モード、切替記録媒体のフォルダ構成が図２の場合である。一方、切替記録媒体名は「Ｂ」、切替フォルダは最大フォルダ番号が４５１のために１加算して「452XXXXX」、切替ファイルは「XXXX1000」となる。
【００４５】
（例３）は、カレント記録媒体名が「Ａ」、カレントフォルダが「500XXXXX」、カレントファイル番号が「XXXX1000」、モードがリセット番号モード、切替記録媒体のフォルダ構成が図２の場合である。一方、切替記録媒体名は「Ｂ」、切替フォルダは「500XXXXX」、切替ファイルは「XXXX0001」となる。
【００４６】
（例４）は、カレント記録媒体名が「Ａ」、カレントフォルダが「400XXXXX」、カレントファイル番号が「XXXX1000」、モードがリセット番号モード、切替記録媒体のフォルダ構成が図２の場合である。一方、切替記録媒体名は「Ｂ」、切替フォルダは最大フォルダ番号が４５１のために１加算して「452XXXXX」、切替ファイルは「XXXX0001」となる。
【００４７】
ステップＳ１０１における記録先表示では、ユーザが各要素の目視比較が容易なように、図４（ａ）に示すように、上にカレント記録先、下に切替記録先が並べて表示される。また、各要素の違いがよりわかるように、切替記録先の同じ要素の表示をグレー表示（図示の点線文字）してもよいし（図４（ｂ）参照）、同じ要素は表示しなくてもよい（図４（ｃ）参照）。
【００４８】
また、表示エリアを節約するために、図５に示すように、切替記録先と異なるカレント記録先の各要素を点灯させてもよい。なお、図４（ａ）、図４（ｂ）、図４（ｃ）、及び図５に示す（１）〜（４）は、上記の（例１）〜（例４）に相当する。
【００４９】
さらに、画像ファイルを切替記録先に書き込んだ場合は、撮影後に記録先が変更されたことを警告表示してもよい。
【００５０】
本第１の実施形態によれば、撮影前に記録先を表示し、かつ、撮影後に記録先が変更される可能性のあるデジタルカメラにおいて、変更される記録先の情報を考慮した表示を行うことで、撮影前の記録先の表示と撮影後の記録先の矛盾を軽減することができる。
【００５１】
［第２の実施形態］
本発明の第２の実施の形態では、図１に示す構成が上記第１の実施の形態と同じであり、第１の実施の形態と同様の部分については、同一の符号を用いてその説明を省略する。以下に、上記第１の実施の形態と異なる点のみを説明する。
【００５２】
記録先を表示する際に、画像ファイルのサイズが決定していない現像処理前の画像（以下、「未現像画像」と呼ぶ）があった場合、切替記録先のファイル番号が１つに定まらないことがある。そこで、本発明の第２の実施形態では、切替記録先のファイル番号が１つに定まらない場合には、定まらない要素がわかるように表示を行う。
【００５３】
上記第１の実施形態で説明した（例３）、（例４）の条件では、未現像画像が１つあった場合でかつ未現像画像をカレント記録媒体に書き込む場合には、切替ファイル番号が０００１となるが、切替記録媒体へ書き込む場合には、切替ファイル番号は０００２となる。つまり、未現像画像がＮ個あった場合でかつリセットモードの場合には、ファイル番号０００１からＮまで生成される可能性がある。
【００５４】
本実施形態における撮像装置では、切替ファイル番号における最小値、最大値、特定の図や文字、又は、不定な桁のみを特定の図や文字で表示した場合を示す。さらに、切替ファイル番号全体又は不定な桁のみを点滅させてもよい。
【００５５】
本第２の実施形態における制御処理の流れを説明する。
【００５６】
まず、ＣＰＵ１０９が現像処理部１１２により現像処理されていない画像データをカウントして、そのカウント結果を一時記憶する。そして、ＣＰＵ１０９が、そのカウント結果に応じて、ＴＦＴ１１５等に以下に説明する方法で表示を行う。図６に未現像画像が１０個の場合に、上記第１の実施形態の（例３）の条件でカレント記録先と切替記録先を上下に並べて表示した表示例を示す。
【００５７】
図６において、（１）には、切替ファイル番号の最小値の表示を点滅させた場合を示す。（２）には、切替ファイル番号の最大値の表示を点滅させた場合を示す。（３）には、特定の図や文字の表示で点滅させた場合を示す。（４）には、不定な桁のみを特定の図や文字の表示で点滅させた場合を示す。図４（ｂ）の同じ要素の表示をグレー（図示の点線文字）に表示した場合と図４（ｃ）の同じ要素は表示しない場合の切替ファイル番号も表示に点滅を用いていないため、同様に表示することができる。
【００５８】
本第２の実施形態では、撮影前に記録先を表示し、かつ、撮影後に記録先が変更される可能性のあるデジタルカメラにおいて、切替ファイル番号が１つに定まらない場合に、変更される記録先の情報を考慮した表示を行う。これにより、撮影前の記録先の表示と撮影後の記録先の矛盾を軽減することができる。本実施形態では、切替ファイル番号が１つに定まらない場合を取り扱ったが、切替記録媒体、切替フォルダ番号が１つに定まらない場合についても同様に表示することができる。
【００５９】
［第３の実施形態］
本発明の第３の実施の形態では、図１に示す構成が上記第１の実施の形態と同じであり、第１の実施の形態と同様の部分については、同一の符号を用いてその説明を省略する。以下に、上記第１の実施の形態と異なる点のみを説明する。
【００６０】
カレント記録媒体に充分な残容量があった場合には、その後の１回の撮影で切替記録先に記録する可能性が少ない。このような場合においては、切替記録先の表示はユーザにとって不必要な情報となることが多い。そこで、本発明の第３の実施形態では、ＣＰＵ１０９が、撮影前のデジタルカメラの設定から撮影後の画像ファイルのサイズを予測し、予測したサイズ（以下、「予測サイズ」と呼ぶ）とカレント記録媒体の残容量の比較結果を用いて表示を変化させる。
【００６１】
予測サイズに影響のあるデジタルカメラの設定は、前述の現像パラメータ、記録方式、Ｅｘｉｆ規格で記録する内容などある。本実施形態では、ＣＰＵ１０９が、画像の解像度と圧縮率の組み合わせごとの予測サイズを不揮発性メモリ１１１に保持し、画像の解像度と圧縮率の設定変更により予測サイズを切り替える。
【００６２】
図７は、本発明の第３の実施形態における画像ファイルの記録先表示動作の流れを示すフローチャートである。
【００６３】
ステップＳ２００でデジタルカメラ１００が記録先表示動作を開始すると、ステップＳ２０１に進み、ＣＰＵ１０９は、カレント記録媒体の残容量が予測サイズより大きいか否かを判定する。この結果、カレント記録媒体の残容量が予測サイズより大きい場合は、ステップＳ２０２へ進む一方、大きくない場合ステップＳ２０３へ進む。
【００６４】
ステップＳ２０２では、ＣＰＵ１０９は、カレント記録先のみの表示を行い、ステップＳ２０４で本処理を終了する。
【００６５】
ステップＳ２０３では、ＣＰＵ１０９は、第１及び第２の実施形態で説明した切替記録先を考慮した記録先表示を行い、ステップＳ２０４で本処理を終了する。
【００６６】
本第３の実施形態によれば、カレント記録媒体の残容量と撮影後の画像ファイルのサイズ（予測サイズ）とを比較し、記録媒体が切り替わらないことが予測された場合は、カレント記録先の表示のみを行う。これにより、不必要な可能性の高い情報を表示しないようにすることができる。
【００６７】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００６８】
１００  デジタルカメラ
１０９  ＣＰＵ
１１１  不揮発性メモリ
１１３  ＲＡＭ
１１４  表示制御装置
【図１】
2015056683.tif 000003
【図２】
2015056683.tif 000004
【図３】
2015056683.tif 000005
【図４】
2015056683.tif 000006
【図５】
2015056683.tif 000007
【図６】
2015056683.tif 000008
【図７】
2015056683.tif 000009